(57)【要約】【課題】映像信号の供給先に対して無駄な情報を伝送することなく、映像信号のアスペクト比の変化を通知する。【解決手段】  ステップＳ１で変換部は、ビデオ信号をHDMIフォーマットのコンポーネント信号に変換してアスペクト比記録部に出力する処理を開始する。ステップＳ２で、アスペクト比検出部はビデオ信号のアスペクト比を検出し、検出したアスペクト比をアスペクト比記録部に出力する処理を開始する。アスペクト比記録部はHDMIフォーマットのビデオ信号の所定の位置に、アスペクト比検出部から入力されたビデオ信号のアスペクト比を記録して後段に出力する。本発明は、例えばビデオレコーダに適用できる。【選択図】図７
2006319503.tif 000002
【特許請求の範囲】
【請求項１】
ディジタル映像出力端子を備える映像信号処理装置において、
出力すべき映像信号のアスペクト比を検出する検出手段と、
出力すべき前記映像信号を前記ディジタル映像出力端子に対応するフォーマットに変換する変換手段と、
前記変換手段によって前記フォーマットに変換された前記映像信号の所定の位置に、前記検出手段によって検出された前記アスペクト比を示す情報を記録する記録手段と
を含むことを特徴とする映像信号処理装置。
【請求項２】
出力すべき前記映像信号として、テレビジョン放送信号を受信する受信手段を
さらに含むことを特徴とする請求項１に記載の映像信号処理装置。
【請求項３】
前記受信手段によって受信された前記テレビジョン放送信号を記録媒体に記録し、また再生する記録再生手段を
さらに含むことを特徴とする請求項２に記載の映像信号処理装置。
【請求項４】
ディジタル映像出力端子を備える映像信号処理装置の映像信号処理方法において、
出力すべき映像信号のアスペクト比を検出する検出ステップと、
出力すべき前記映像信号を前記ディジタル映像出力端子に対応するフォーマットに変換する変換ステップと、
前記変換ステップの処理で前記フォーマットに変換された前記映像信号の所定の位置に、前記検出ステップの処理で検出された前記アスペクト比を示す情報を記録する記録ステップと
を含むことを特徴とする映像信号処理方法。
【請求項５】
ディジタル映像出力端子を備える映像信号処理装置を制御するためのプログラムであって、
出力すべき映像信号のアスペクト比を検出する検出ステップと、
出力すべき前記映像信号を前記ディジタル映像出力端子に対応するフォーマットに変換する変換ステップと、
前記変換ステップの処理で前記フォーマットに変換された前記映像信号の所定の位置に、前記検出ステップの処理で検出された前記アスペクト比を示す情報を記録する記録ステップと
を含む処理をコンピュータに実行させることを特徴とするプログラム。
【発明の詳細な説明】
【技術分野】
【０００１】
本発明は、映像信号処理装置および方法、並びにプログラムに関し、特に、ディジタル映像出力端子から出力する映像信号に、当該映像信号のアスペクト比を動的に記録するようにした映像信号処理装置および方法、並びにプログラムに関する。
【背景技術】
【０００２】
現在、テレビジョン放送の映像のアスペクト比は４：３と１６：９が混在している状態であり、チャンネルを切り換えたとき、コマーシャルが挿入されたとき、番組の開始や終了時などにアスペクト比が４：３から１６：９に、または１６：９から４：３に変化することがある。従来のテレビジョン受像機においても、入力される映像信号のアスペクト比の変化に対応できるものが存在する。
【０００３】
例えば、ワイド画面（すなわち、ディスプレイのアスペクト比が１６：９）の当該テレビジョン受像機においては、図１Ａに示すようなアスペクト比が４：３の映像信号が入力された場合、図１Ｂに示すように映像信号の左右に黒の領域を付加して表示（いわゆるサイドパネル表示）を行うようになされている。また例えば、ノーマル画面（すなわち、ディスプレイのアスペクト比が４：３）の当該テレビジョン受像機においては、図２Ａに示すようなアスペクト比が１６：９の映像信号が入力された場合、図１Ｂに示すように映像信号の上下に黒の領域を付加して表示（いわゆるレターボックス表示）を行うようになされている。ただし、アスペクト比の変化に対応可能なテレビジョン受像機であっても、アスペクト比が変化したときにおいては同期の乱れなどによって画質が一瞬乱れるなどの問題がある。
【０００４】
このような問題を解決するため、テレビジョン受像機に映像信号を供給する従来の映像出力装置（テレビジョン放送を受信するセットトップボックス、DVD(Digital Versatile Disc)に記録されているコンテンツを再生するDVDプレーヤ、テレビジョン番組を録画して再生するDVDレコーダやHDD(Hard Disc Recorder)レコーダ等）においては、供給する映像信号のアスペクト比を変化させることなく、４：３または１６：９の一方（映像信号の供給先であるテレビジョン受像機がワイド画面であるかノーマル画面であるかに合わせてユーザが設定する）に固定して出力するようになされていた。
【０００５】
例えば、映像信号の供給先であるテレビジョン受像機がワイド画面であって映像信号のアスペクト比が１６：９に固定されている場合、図１Ａに示すようなアスペクト比が４：３の映像信号を入力するときには、図１Ｂに示すように映像信号の左右に黒の領域を付加して出力するようになされている。また例えば、映像信号の供給先であるテレビジョン受像機がノーマル画面であって映像信号のアスペクト比が４：３に固定されている場合、図２Ａに示すようなアスペクト比が１６：９の映像信号を入力するときには、図２Ｂに示すように映像信号の上下に黒の領域を付加して出力するようになされている。
【０００６】
ところで、映像出力装置においては、ビデオ信号を出力するための端子として、コンポジット映像端子、Ｓ（セパレート）映像端子、コンポーネント映像端子、Ｄ映像端子等が設けられている。これらはいずれもビデオ信号をアナログ信号として出力しているので、以下、アナログ映像出力端子と称する。一方、上述したアナログ映像出力端子とは異なり、ビデオ信号をディジタル信号として出力するHDMI(High Definition Multimedia Interface)端子を備える映像出力装置も存在する。HDMI端子の長所としては、アナログ映像出力端子がビデオ信号のみを出力することに対して、ビデオ信号に加えて音声信号も出力できること、出力すべきビデオ信号が元々ディジタル信号であるならばアナログ信号に変換せずに出力できるので画質の劣化が少ないこと、接続先の機器（例えば、テレビジョン受像機）のスペック情報（モニタの解像度やアスペクト比等）を取得できることなどを挙げることができる。なお、HDMI端子については、例えば非特許文献１にその詳細が記載されている。
【０００７】
【非特許文献１】EIA/CEA-861B  DRAFT  020328
【発明の開示】
【発明が解決しようとする課題】
【０００８】
上述したように、映像出力装置から映像信号を出力するに際し、元々アスペクト比が４：３の映像信号の左右に黒の領域を付加したり、元々アスペクト比が１６：９の映像信号の上下に黒の領域を付加したりすることは、黒の領域の分だけ無駄な情報を伝送していることになる。
【０００９】
本発明はこのような状況に鑑みてなされたものであり、映像信号の供給先に対して無駄な情報を伝送することなく、映像信号のアスペクト比の変化を通知できるようにするものである。
【課題を解決するための手段】
【００１０】
請求項１に記載の映像信号処理装置は、出力すべき映像信号のアスペクト比を検出する検出手段と、出力すべき映像信号をディジタル映像出力端子に対応するフォーマットに変換する変換手段と、変換手段によってフォーマットに変換された映像信号の所定の位置に、検出手段によって検出されたアスペクト比を示す情報を記録する記録手段とを含むことを特徴とする。
【００１１】
請求項２に記載の映像信号処理装置は、出力すべき映像信号として、テレビジョン放送信号を受信する受信手段をさらに含むことができる。
【００１２】
請求項３に記載の映像信号処理装置は、受信手段によって受信されたテレビジョン放送信号を記録媒体に記録し、また再生する記録再生手段をさらに含むことができる。
【００１３】
請求項４に記載の映像信号処理方法は、出力すべき映像信号のアスペクト比を検出する検出ステップと、出力すべき映像信号をディジタル映像出力端子に対応するフォーマットに変換する変換ステップと、変換ステップの処理でフォーマットに変換された映像信号の所定の位置に、検出ステップの処理で検出されたアスペクト比を示す情報を記録する記録ステップとを含むことを特徴とする。
【００１４】
請求項５に記載のプログラムは、出力すべき映像信号のアスペクト比を検出する検出ステップと、出力すべき映像信号をディジタル映像出力端子に対応するフォーマットに変換する変換ステップと、変換ステップの処理でフォーマットに変換された映像信号の所定の位置に、検出ステップの処理で検出されたアスペクト比を示す情報を記録する記録ステップとを含む処理をコンピュータに実行させることを特徴とする。
【００１５】
本発明においては、出力すべき映像信号のアスペクト比が検出され、出力すべき映像信号がディジタル映像出力端子に対応するフォーマットに変換されて、変換された映像信号の所定の位置に、アスペクト比を示す情報が記録される。
【発明の効果】
【００１６】
本発明によれば、映像信号の供給先に対して無駄な情報を伝送することなく、映像信号のアスペクト比の変化を通知することが可能となる。
【発明を実施するための最良の形態】
【００１７】
以下に本発明の実施の形態を説明するが、請求項に記載の構成要件と、発明の実施の形態における具体例との対応関係を例示すると、次のようになる。この記載は、請求項に記載されている発明をサポートする具体例が、発明の実施の形態に記載されていることを確認するためのものである。従って、発明の実施の形態中には記載されているが、構成要件に対応するものとして、ここには記載されていない具体例があったとしても、そのことは、その具体例が、その構成要件に対応するものではないことを意味するものではない。逆に、具体例が構成要件に対応するものとしてここに記載されていたとしても、そのことは、その具体例が、その構成要件以外の構成要件には対応しないものであることを意味するものでもない。
【００１８】
さらに、この記載は、発明の実施の形態に記載されている具体例に対応する発明が、請求項に全て記載されていることを意味するものではない。換言すれば、この記載は、発明の実施の形態に記載されている具体例に対応する発明であって、この出願の請求項には記載されていない発明の存在、すなわち、将来、分割出願されたり、補正により追加されたりする発明の存在を否定するものではない。
【００１９】
請求項１に記載の映像信号処理装置（例えば、図３の記録再生装置１）は、出力すべき映像信号のアスペクト比を検出する検出手段（例えば、図４のアスペクト比検出部３３）と、出力すべき映像信号をディジタル映像出力端子に対応するフォーマットに変換する変換手段（例えば、図４の変換部３２）と、変換手段によってフォーマットに変換された映像信号の所定の位置に、検出手段によって検出されたアスペクト比を示す情報を記録する記録手段（例えば、図４のアスペクト比記録部３４）とを含む。
【００２０】
請求項２に記載の映像信号処理装置は、出力すべき映像信号として、テレビジョン放送信号を受信する受信手段（例えば、図３のチューナ１１）をさらに含む。
【００２１】
請求項３に記載の映像信号処理装置は、受信手段によって受信されたテレビジョン放送信号を記録媒体に記録し、また再生する記録再生手段（例えば、図３のCODEC１４乃至記録メディア１６）をさらに含む。
【００２２】
請求項４に記載の映像信号処理方法は、出力すべき映像信号のアスペクト比を検出する検出ステップ（例えば、図７のステップＳ１）と、出力すべき映像信号をディジタル映像出力端子に対応するフォーマットに変換する変換ステップ（例えば、図７のステップＳ２）と、変換ステップの処理でフォーマットに変換された映像信号の所定の位置に、検出ステップの処理で検出されたアスペクト比を示す情報を記録する記録ステップ（例えば、図７のステップＳ４）とを含む。
【００２３】
なお、本発明のプログラムの請求項に記載の構成要件と、発明の実施の形態における具体例との対応関係は、上述した本発明の映像信号処理方法のものと同様であるので、その記載は省略する。
【００２４】
以下、本発明を適用した具体的な実施の形態について、図面を参照しながら詳細に説明する。
【００２５】
図３は、本発明の一実施の形態である記録再生装置の構成例を示している。この記録再生装置１は、受信したテレビジョン番組や他の電子機器（例えば、ビデオカメラ等）から入力されるビデオ信号およびオーディオ信号を記録メディア１６に記録し、記録メディア１６に記録されているビデオ信号およびオーディオ信号を再生し、HDMIフォーマットの信号に変換してテレビジョン受像機等のモニタに出力するものである。
【００２６】
記録再生装置１において、チューナ１１−１乃至１１−ｎは、それぞれ地上アナログ放送信号、地上ディジタル放送信号、CATV放送信号、ＢＳアナログ放送信号、ＢＳディジタル放送信号、ディジタルＣＳ放送信号等に対応しており、各放送信号から抽出したビデオ信号、オーディオ信号および属性データ等をスイッチ１３に出力する。外部入力部１２は、他の電子機器（例えば、ビデオカメラ等）から入力されるビデオ信号およびオーディオ信号をスイッチ１３に出力する。以下、チューナ１１−１乃至１１−ｎ、および外部入力部１２からスイッチ１３に入力されるビデオ信号にのみ着目する。
【００２７】
スイッチ１３は、ユーザからの操作に従い、チューナ１１−１乃至１１−ｎおよび外部入力部１２から入力されるビデオ信号のうちの１つをCODEC１４に出力する。また、スイッチ１３は、CODEC１４への出力と同時に、任意のビデオ信号をHDMI変換部１７に出力することができる。
【００２８】
CODEC１４は、スイッチ１３から入力されたビデオ信号を所定の方式（例えば、MPEG２方式）を採用してエンコードし、得られる符号化データをドライブ１５に出力する。また、CODEC１４はドライブ１５によって記録メディア１６から読み出された符号化データをデコードし、得られるビデオ信号をHDMI変換部１７に出力する。ドライブ１５は、CODEC１４から入力される符号化データを記録メディア１６に記録する。また、ドライブ１５は、記録メディア１６に記録されている符号化データを読み出してCODEC１４に出力する。記録メディア１６は、例えば、光ディスク、光磁気ディスク、磁気ディスク、半導体メモリ等から構成され、ドライブ１５に対して着脱可能とされている。
【００２９】
HDMI変換部１７は、モニタ情報取得部１９から入力されるモニタI/F１８に接続されたHDMI対応モニタ（HDMI対応テレビジョン受像機２等）のスペック（表示可能な解像度、アスペクト比等）に合わせ、スイッチ１３から入力されるビデオ信号またはCODEC１４から入力されるビデオ信号をHDMIフォーマットのコンポーネント信号に変換するが、その際、変換するビデオ信号のアスペクト比を随時検出し、HDMIフォーマットの所定の位置に検出したアスペクト比を記録してモニタI/F１８に出力する。
【００３０】
HDMI端子を内蔵するモニタI/F１８は、HDMI変換部１７から供給されるHDMIフォーマットのコンポーネント信号を、接続されたHDMI対応モニタ（HDMI対応テレビジョン受像機２等）に出力する。
【００３１】
モニタ情報取得部１９は、モニタI/F１８に接続されているモニタのスペックを取得してHDMI変換部１７に出力する。
【００３２】
図４はHDMI変換部１７の詳細な構成例を示している。スイッチ３１は、スイッチ１３から入力されるビデオ信号またはCODEC１４から入力されるビデオ信号の一方を変換部３２およびアスペクト比検出部３３に出力する。変換部３２は、スイッチ３１から入力されるビデオ信号をHDMIフォーマットのコンポーネント信号に変換してアスペクト比記録部３４に出力する。アスペクト比検出部３３は、スイッチ３１から入力されるビデオ信号のアスペクト比を随時検出しており、検出したアスペクト比をアスペクト比記録部３４に出力する。
【００３３】
アスペクト比記録部３４は、変換部３２から入力されるHDMIフォーマットのビデオ信号の所定の位置に、アスペクト比検出部３３から入力されるビデオ信号のアスペクト比を記録して後段に出力する。具体的には、変換部３２から入力されるHDMIフォーマットのビデオ信号のうち、図５に示すAuxiliary Video Information InfoFrame format(Version1)の５バイト目（Data Byte 2）におけるＭ１，Ｍ０の２ビットに、図６に示す規則に従ってアスペクト比を記録する。
【００３４】
次に、HDMI変換部１７によるアスペクト比情報出力処理について、図７のフローチャートを参照して説明する。
【００３５】
ステップＳ１において、スイッチ３１はスイッチ１３から入力されているビデオ信号またはCODEC１４から入力されているビデオ信号の一方を変換部３２およびアスペクト比検出部３３に出力する。アスペクト比検出部３３は、スイッチ３１から入力されたビデオ信号のアスペクト比を検出し、検出したアスペクト比をアスペクト比記録部３４に出力する処理を開始する。ステップＳ２において、変換部３２はスイッチ３１から入力されたビデオ信号をHDMIフォーマットのコンポーネント信号に変換してアスペクト比記録部３４に出力する処理を開始する。アスペクト比記録部３４は、変換部３２から入力されたHDMIフォーマットのビデオ信号の所定の位置に、アスペクト比検出部３３から入力されたビデオ信号のアスペクト比を記録して後段に出力する。
【００３６】
ステップＳ３において、アスペクト比記録部３４は、アスペクト比検出部３３によって検出されたビデオ信号のアスペクト比が変更されたか否かを判定し、変更されたと判定するまで待機する。アスペクト比検出部３３によって検出されたビデオ信号のアスペクト比が変更されたと判定された場合、処理はステップＳ４に進む。ステップＳ４において、アスペクト比記録部３４は、変換部３２から入力されたHDMIフォーマットのビデオ信号の所定の位置に、変更されたアスペクト比を記録して後段に出力する。この後、ステップＳ３に戻り、それ以降の処理が繰り返される。
【００３７】
なお、アスペクト比が記録されたHDMIフォーマットのビデオ信号は、モニタI/F１８に内蔵されたHDMI端子を介してHDMI対応テレビジョン受像機２等に供給される。ビデオ信号内のアスペクト比は、表示方法（サイドパネル表示、レターボックス表示等）の決定に利用される他、例えば番組とコマーシャルの境界を識別するためなどにも利用される。
【００３８】
また、上述した処理とは異なり、アスペクト比が変更されたか否かを判定することなく、随時検出されたアスペクト比を、変換部３２から入力されたHDMIフォーマットのビデオ信号の所定の位置に記録するようにしてもよい。以上、HDMI変換部１７によるアスペクト比情報出力処理の説明を終了する。
【００３９】
以上説明したように、本発明を適用した記録再生装置１においては、無駄な情報を伝送することなく、HDMIフォーマット上の定められた位置にビデオ信号のアスペクト比を記録して出力するので、ビデオ信号の供給先であるHDMI対応テレビジョン受像機２等にビデオ信号のアスペクト比の変化を通知することができる。
【００４０】
ところで、上述した一連の処理は、ハードウェアにより実行させることもできるが、ソフトウェアにより実行させることもできる。一連の処理をソフトウェアにより実行させる場合には、そのソフトウェアを構成するプログラムが、専用のハードウェアに組み込まれているコンピュータ、または、各種のプログラムをインストールすることで、各種の機能を実行することが可能な、例えば汎用のパーソナルコンピュータなどに、記録媒体からインストールされる。
【００４１】
なお、本明細書において、プログラムに基づいて実行されるステップは、記載された順序に従って時系列的に行われる処理はもちろん、必ずしも時系列的に処理されなくとも、並列的あるいは個別に実行される処理をも含むものである。
【図面の簡単な説明】
【００４２】
【図１】アスペクト比４：３のビデオ信号をワイド画面に表示する表示例を示す図である。
【図２】アスペクト比１６：９のビデオ信号をノーマル画面に表示する表示例を示す図である。
【図３】本発明を適用した記録再生装置の構成例を示すブロック図である。
【図４】図３のHDMI変換部の構成例を示すブロック図である。
【図５】HDMIフォーマットのビデオ信号におけるアスペクト比を記録する位置を示す図である。
【図６】アスペクト比を表す２ビットを示す図である。
【図７】HDMI変換部によるアスペクト比情報出力処理を説明するフローチャートである。
【符号の説明】
【００４３】
１  記録再生装置，  １１  チューナ，  １２  外部入力部，  １３  スイッチ，  １４  CODEC，  １５  ドライブ，  １６  記録メディア，  １７  HDMI変換部，  １８  モニタI/F，  １９  モニタ情報取得部，  ３１  スイッチ，  ３２  変換部，  ３３  アスペクト比検出部，  ３４  アスペクト比記録部
【図１】
2006319503.tif 000003
【図２】
2006319503.tif 000004
【図３】
2006319503.tif 000005
【図４】
2006319503.tif 000006
【図５】
2006319503.tif 000007
【図６】
2006319503.tif 000008
【図７】
2006319503.tif 000009